(57)【要約】      （修正有）【課題】長期間洗濯機を使用しても槽内からの異臭を防止すること。【解決手段】槽洗浄コースにおいて、洗い工程(S1)、すすぎ工程（S2）、脱水工程（S５）、槽洗浄工程(S4)、乾燥工程（S６）が実行される。洗い工程(S1)における超音波洗浄(ステップ7)では制御装置は超音波振動子を稼働させ、回転給水工程と補給水工程によって外槽内に溜まった水を振動させる。このとき超音波振動子及び内槽の一部は外槽に溜まった水に浸かっている状態とする。その後本洗い(ステップ8)に進む。制御装置は本洗い(ステップ8)にて所定時間、たとえば5分間後、超音波振動子を稼働させた後、超音波振動子を止める。本洗い工程(ステップ8)にて制御装置は内槽を洗い工程及びすすぎ工程時の回転速度(たとえば25-45rpm)で所定の時間(たとえば１０分間）回転させる。【選択図】図１０
2019000254.tif 000002
【特許請求の範囲】
【請求項１】
筐体内に防振支持され、内部に洗濯水を貯留する外槽と、
前記外槽に内包され、洗濯物が収容される内槽と、
前記内槽を駆動させる駆動装置と、
前記外槽に給水する給水手段と、
前記外槽に溜めた水を機外に排水する排水部と、
前記外槽に貯水または排水を制御する排水連通管と、
前記外槽または前記外槽と前記排水連通管との間に設置した超音波振動子と、
前記超音波振動子を制御する制御装置と、を備える洗濯機。
【請求項２】
請求項1記載の洗濯機において、
は前記給水手段により給水された水を前記外槽及び前記下部連通管に溜め、前記制御装置は、前記超音波振動子を振動させる洗濯機。
【請求項３】
請求項２記載の洗濯機において、
すすぎ工程中に前記制御装置は、前記超音波振動子を振動させる洗濯機。
【請求項４】
請求項1記載の洗濯機において、
槽洗浄コースにおける洗い行程において前記制御装置は、前記超音波振動子を振動させる洗濯機。
【請求項５】
請求項1記載の洗濯機において、
槽洗浄コースにおけるすすぎ行程において前記制御装置は、前記超音波振動子を振動させる洗濯機。
【請求項６】
請求項1記載の洗濯機において、
槽洗浄コースにおける脱水行程において前記制御装置は、前記超音波振動子を振動させる洗濯機。
【発明の詳細な説明】
【技術分野】
【０００１】
本発明は、洗濯機に関するものである。
【背景技術】
【０００２】
従来、洗濯機（ドラム式洗濯乾燥機）には内槽や外槽の汚れを洗浄するために槽洗浄を目的とした機能が備えられている。その槽洗浄の方法として、給水電磁弁を開弁し、外槽底部に水を溜める。そして、内槽を所定の回転速度で回転させることで外槽内に溜まった水を巻き上げ、槽内を洗浄するものである。所定時間経過後、給水弁を閉じ、内槽の回転は維持する。所定時間経過後、内槽の回転は維持しつつ給水電磁弁を閉じ排水弁を開弁し洗浄水を排出し、内槽を脱水に対応した回転速度まで上昇させることで内槽と外槽の洗浄を行っている。
【先行技術文献】
【特許文献】
【０００３】
【特許文献１】特開２０１６−４１２８５号公報
【発明の概要】
【発明が解決しようとする課題】
【０００４】
しかし特許文献1では内槽の回転によって巻き上がる水だけでは外槽に付随するツギテ部内の汚れを十分に落としきれないという問題がある。
【課題を解決するための手段】
【０００５】
前記の課題を解決するために、本発明は、外槽底部と、前記外槽の下部連通管に水を溜め、外槽内に設置した超音波振動子により溜めた水を超音波振動させることによって洗浄することができる。
【発明の効果】
【０００６】
本発明によれば、超音波振動により下部連通部の蛇腹内及びホース内の汚れを浮かせ、蛇腹凹部に溜まった汚れも洗浄することができる。そのため、長期間洗濯機を使用しても槽内からの異臭を防止することができる。
【図面の簡単な説明】
【０００７】
【図１】本実施例の洗濯乾燥機の外観斜視図である。
【図２】本実施例の洗濯乾燥機の上面図である。
【図３】本実施例の外槽の正面図である。
【図４】本実施例の外槽組の正面図である。
【図５】本実施例の外槽組の右側面図である。
【図６】本実施例の外槽組の左側面図である。
【図７】本実施例の外槽組の背面図である。
【図８】本実施例のゴム製の蛇腹管の断面図である。
【図９】本実施例の外槽下部連通管及び経路を示した図である。
【図１０】本実施例の制御フローを示した図である。
【図１１】本実施例の制御フローを示した図である。
【発明を実施するための形態】
【０００８】
以下各実施例について図面を参照しながら説明する。
【実施例１】
【０００９】
図1に示す洗濯乾燥機Ｓは、ドラム式洗濯乾燥機であり、筐体22、内槽17、ドラム回転駆動装置4、制御装置24等を備えている。
【００１０】
図1に示すように、洗濯乾燥機Ｓは、前記筐体22の内部に洗濯水を貯水する外槽1と、外槽1の内部には回転自在な洗濯兼脱水槽(以下、内槽)17とを備えた洗濯機Ｓと、外槽1に貯水された水を排水するための排水連通管7,溢水連通管10と、前期排水連通管7,溢水連通管10と接合され排水弁12を備えた排水連通管13と洗濯水排水路12等を備えている。図に示すように、外槽1の底面部には排水部23が設けられており、ゴム製の蛇腹管である排水連通管7,洗剤水連通管8,洗浄水連通管9,溢水連通管10を介して循環ポンプケース13へと接続されている。前記排水連通管13は排水弁12を介して洗濯水排水路(図称なし)と連通するように接続されている。尚、排水弁12を閉弁することで前記外槽1内に水を貯水可能となる。また、開弁することで前記外槽1内の水を洗濯乾燥機Ｓの機外へ排水可能となる。前記外槽1内に貯水されるとゴム製の蛇腹管である排水連通管7及び洗剤水連通管8,洗浄水連通管9,溢水連通管10と閉弁状態の排水弁12まで水は満たされる。前記外槽1の底部に超音波振動子20を設け、前記外槽1に貯水された状態でかつ前記超音波振動子20が浸かっている状態で前記超音波振動子20を振動(20kHz〜100kHz)させることで外槽1内だけでなく前記ゴム製の蛇腹管7,8,9,10の蛇腹凹部に溜まった糸くず等の汚れを蛇腹内壁から剥離することができる。
【００１１】
図10に示すように、制御装置24は、槽洗浄コースにおいて、洗い工程(S1)、すすぎ工程（S2）、脱水工程（S3）、槽洗浄工程(S4)、乾燥工程（S5）が順に実行される。洗い工程(S1)における超音波洗浄(ステップ7)では制御装置24は超音波振動子20を稼働させ、回転給水工程と補給水工程によって外槽1内に溜まった水を振動させる。このとき超音波振動子20及び内槽17の一部は外槽1に溜まった水に浸かっている状態とする。その後本洗い(ステップ8)に進む。制御装置24は本洗い(ステップ8)にて所定時間、たとえば5分間後、超音波振動子20を稼働させた後、超音波振動子20を止める。本洗い工程(ステップ8)にて制御装置24は内槽17を洗い工程及びすすぎ工程時の回転速度(たとえば25-45rpm)で所定の時間(たとえば１０分間）回転させる。この前記内槽17の回転により前記外槽1及び外槽1を防振支持部6が振動することで外槽下部連通管である排水連通管7及び洗剤水連通管8,洗浄水連通管9,溢水連通管10の蛇腹部を伸縮させ蛇腹凹部の汚れを浮きやすくすることができる。また内槽17が回転し前記外槽に溜まり超音波振動子20によって振動した水に浸水することで内槽17壁面の汚れを浮きやすくすることができる。本洗い(ステップ8)で所定時間終了後、超音波振動子20を振動停止させ、すすぎ工程（S2）脱水工程（S3）、槽洗浄工程(S4)、乾燥工程（S5）の工程が実行される。
【実施例２】
【００１２】
図1に示す洗濯乾燥機Ｓは、ドラム式洗濯乾燥機であり、筐体22、内槽17、ドラム回転駆動装置4、制御装置24等を備えている。
【００１３】
図1に示すように、洗濯乾燥機Ｓは、前記筐体22の内部に洗濯水を貯水する外槽1と、外槽1の内部には回転自在な洗濯兼脱水槽(以下、内槽)17とを備えた洗濯機Ｓと、外槽1に貯水された水を排水するための排水連通管7,溢水連通管10と、前期排水連通管7,溢水連通管10と接合され排水弁12を備えた排水連通管13と洗濯水排水路12等を備えている。図に示すように、外槽1の底面部には排水部23が設けられており、ゴム製の蛇腹管である排水連通管7,洗剤水連通管8,洗浄水連通管9,溢水連通管10を介して循環ポンプケース13へと接続されている。前記排水連通管13は排水弁12を介して洗濯水排水路(図称なし)と連通するように接続されている。尚、排水弁12を閉弁することで前記外槽1内に水を貯水可能となる。また、開弁することで前記外槽1内の水を洗濯乾燥機Ｓの機外へ排水可能となる。前記外槽1内に貯水されるとゴム製の蛇腹管である排水連通管7及び洗剤水連通管8,洗浄水連通管9,溢水連通管10と閉弁状態の排水弁12まで水は満たされる。前記外槽1の底部に超音波振動子20を設け、前記外槽1に貯水された状態でかつ前記超音波振動子20が浸かっている状態で前記超音波振動子20を振動(20kHz〜100kHz)させることで外槽1内だけでなく前記ゴム製の蛇腹管7,8,9,10の蛇腹凹部に溜まった糸くず等の汚れを蛇腹内壁から剥離することができる。
【００１４】
図11に示すように、制御装置は、標準洗濯コースにおいて、洗い工程(S1)、すすぎ工程（S2）、脱水工程（S3）が順に実行される。洗い工程(S1)における超音波洗浄(ステップ7)では前記制御装置24は超音波振動子20を稼働させ、回転給水工程と補給水工程によって前記外槽1内に溜まった水を振動させる。このとき前記超音波振動子20及び前記内槽17の一部は前記外槽1に溜まった水に浸かっている状態とする。その後本洗い(ステップ8)に進む。制御装置24は本洗い(ステップ8)にて所定時間、たとえば5分間後、前記超音波振動子20を稼働させた後、前記超音波振動子20を止める。本洗い工程(ステップ8)にて前記制御装置24は前記内槽を洗い工程及びすすぎ工程時の回転速度(たとえば25-45rpm)で所定の時間(たとえば１０分間）回転させる。この前記内槽17の回転により前記外槽1及び前記外槽1を防振支持部6が振動することで前記外槽1の下部連通管である連通管である排水連通管7及び洗剤水連通管8,洗浄水連通管9,溢水連通管10の蛇腹部を伸縮させ蛇腹凹部の汚れを浮きやすくすることができる。また前記内槽17が回転し前記外槽1に溜まり前記超音波振動子20によって振動した水に浸水することで前記内槽17壁面の汚れを浮きやすくすることができる。本洗い(ステップ8)で所定時間終了後、前記超音波振動子20を振動停止させ、すすぎ工程（S2）脱水工程（S3）の工程が実行される。
【実施例３】
【００１５】
図1に示す洗濯乾燥機Ｓは、ドラム式洗濯乾燥機であり、筐体22、内槽17、ドラム回転駆動装置4、制御装置24等を備えている。
【００１６】
図1に示すように、洗濯乾燥機Ｓは、前記筐体22の内部に洗濯水を貯水する外槽1と、外槽1の内部には回転自在な洗濯兼脱水槽(以下、内槽)17とを備えた洗濯機Ｓと、外槽1に貯水された水を排水するための排水連通管7,溢水連通管10と、前期排水連通管7,溢水連通管10と接合され排水弁12を備えた排水連通管13と洗濯水排水路12等を備えている。図に示すように、外槽1の底面部には排水部23が設けられており、ゴム製の蛇腹管である排水連通管7,洗剤水連通管8,洗浄水連通管9,溢水連通管10を介して循環ポンプケース13へと接続されている。前記排水連通管13は排水弁12を介して洗濯水排水路(図称なし)と連通するように接続されている。尚、排水弁12を閉弁することで前記外槽1内に水を貯水可能となる。また、開弁することで前記外槽1内の水を洗濯乾燥機Ｓの機外へ排水可能となる。前記外槽1内に貯水されるとゴム製の蛇腹管である排水連通管7及び洗剤水連通管8,洗浄水連通管9,溢水連通管10と閉弁状態の排水弁12まで水は満たされる。前記外槽1の底部に超音波振動子20を設け、前記外槽1に貯水された状態でかつ前記超音波振動子20が浸かっている状態で前記超音波振動子20を振動(20kHz〜100kHz)させることで外槽1内だけでなく前記ゴム製の蛇腹管7,8,9,10の蛇腹凹部に溜まった糸くず等の汚れを蛇腹内壁から剥離することができる。
【００１７】
図11に示すように、制御装置は、標準洗濯コースにおいて、洗い工程(S1)、すすぎ工程（S2）、脱水工程（S3）が順に実行される。洗い工程(S1)における超音波洗浄(ステップ7)では前記制御装置24は超音波振動子20を稼働させ、回転給水工程と補給水工程によって前記外槽1内に溜まった水を振動させる。このとき前記超音波振動子20及び前記内槽17の一部は前記外槽1に溜まった水に浸かっている状態とする。その後本洗い(ステップ8)に進む。制御装置24は本洗い(ステップ8)にて所定時間、たとえば5分間後、前記超音波振動子20を稼働させた後、前記超音波振動子20を止める。本洗い工程(ステップ8)にて前記制御装置24は前記内槽を洗い工程及びすすぎ工程時の回転速度(たとえば25-45rpm)で所定の時間(たとえば１０分間）回転させる。この前記内槽17の回転により前記外槽1及び前記外槽1を防振支持部6が振動することで前記外槽1の下部連通管である連通管である排水連通管7及び洗剤水連通管8,洗浄水連通管9,溢水連通管10の蛇腹部を伸縮させ蛇腹凹部の汚れを浮きやすくすることができる。また前記内槽17が回転し前記外槽1に溜まり前記超音波振動子20によって振動した水に浸水することで前記内槽17壁面の汚れを浮きやすくすることができる。本洗い(ステップ8)で所定時間終了後、前記超音波振動子20を振動停止させ、すすぎ工程（S2）脱水工程（S3）の工程が実行される。本洗い(ステップ8)で所定時間終了後、超音波振動子を振動停止させ、すすぎ工程（S2）脱水工程（S3）、乾燥工程（S4）の工程が実行される。
【符号の説明】
【００１８】
1    外槽
2    槽カバー
【図１】
2019000254.tif 000003
【図２】
2019000254.tif 000004
【図３】
2019000254.tif 000005
【図４】
2019000254.tif 000006
【図５】
2019000254.tif 000007
【図６】
2019000254.tif 000008
【図７】
2019000254.tif 000009
【図８】
2019000254.tif 000010
【図９】
2019000254.tif 000011
【図１０】
2019000254.tif 000012
【図１１】
2019000254.tif 000013